(57)【要約】      （修正有）【課題】ハトメ等の被係止対象物が装着し易い係止具を提供する。【解決手段】所定の仰角を有して壁側から突出する第１フック部と、第１フック部より鉛直方向下方側に位置する第２フック部であって、所定の仰角を有して壁側から突出する第２フック部と、第１フック部及び第２フック部の根元側に設けられ、第１フック部及び第２フック部に作用するモーメントを受ける基台部６とを備える。第２フック部の鉛直方向の曲げ剛性は、第１フック部の鉛直方向の曲げ剛性より小さく、壁に取り付けられた場合、第２フック部の上面は、先端に近づくほど、仰角が小さくなるように湾曲しており、さらに、第２フック部の先端は、第１フック部の先端より基台部から離間している。【選択図】図４
0003201748.tif 000002
【実用新案登録請求の範囲】
【請求項１】
壁、柱、鴨居又は梁（以下、壁等という。）に取り付けられ、穴部を有する被係止対象物を引っ掛けるための係止具において、
前記壁等に取り付けられたときに、予め設定された所定の仰角を有して当該壁等側から突出する第１フック部と、
前記壁等に取り付けられたときに、前記第１フック部より鉛直方向下方側に位置する第２フック部であって、予め設定された所定の仰角を有して当該壁等側から突出する第２フック部と、
前記第１フック部及び前記第２フック部の根元側に設けられ、前記第１フック部及び前記第２フック部に作用するモーメントを受ける基台部とを備え、
前記壁等に取り付けられた場合において、前記第２フック部の鉛直方向についての曲げ剛性は、前記第１フック部の鉛直方向についての曲げ剛性より小さく、
前記壁等に取り付けられた場合において、前記第２フック部の上面は、当該第２フック部の先端に近づくほど、仰角が小さくなるように湾曲した曲面が設けられており、
さらに、前記第２フック部の先端は、前記第１フック部の先端より前記基台部から離間していることを特徴とする係止具。
【請求項２】
前記第２フック部の上面側先端における仮想の接線を先端接線としたとき、
前記第１フック部の先端は、前記先端接線より前記基台部側、又は前記先端接線上に位置することを特徴とする請求項１に記載の係止具。
【請求項３】
前記第１フック部の先端側上面には、当該第１フック部の先端に近づくほど、仰角が小さくなるように湾曲した湾曲部が設けられていることを特徴とする請求項２に記載の係止具。
【請求項４】
前記第２フック部の根元側部位には、当該根元側部位以外の部位に比べて前記曲げ剛性が小さい低剛性部が設けられていることを特徴とする請求項３に記載の係止具。
【請求項５】
前記低剛性部とその他の部位との境界部には、段差状の段付き部が設けられていることを特徴とする請求項４に記載の係止具。
【請求項６】
前記湾曲部とその他の部位との境界部には、段差状の段付き部が設けられていることを特徴とする請求項５に記載の係止具。
【考案の詳細な説明】
【技術分野】
【０００１】
本考案は、壁、柱、鴨居又は梁等に取り付けられる係止具に関する。
【背景技術】
【０００２】
例えば、特許文献１に記載のシート連結具は、ハトメ等の環状金具を係止固定するための係止具を構成する。当該係止具は、傘状（キノコ状）の係止部６の先端部から軸基端に向けて縦のスリット７が設けられて２つの片に分割されたものであって、一方の辺３ａが他方の片３ｂより太くなっている。なお、上記符号は、特許文献１に記載された符号を示す。
【先行技術文献】
【特許文献】
【０００３】
【特許文献１】特許第３０１４２２０号明細書
【考案の概要】
【考案が解決しようとする課題】
【０００４】
特許文献１に記載の考案は、係止部６の延長方向、つまり基板２の法線方向から被係止対象物のハトメを真っ直ぐに係止部６に挿入することを想定したものである。このため、例えば、係止具が作業者の頭上に取り付けられる場合等、比較的、高所に係止具が取り付けられた場合には、被係止対象物のハトメを係止具に装着することが難しい場合がある。
【０００５】
本考案は、上記点に鑑み、被係止対象物を係止具に装着し易くすることを目的とする。
【課題を解決するための手段】
【０００６】
本願では、壁、柱、鴨居又は梁（以下、壁等という。）に取り付けられ、穴部（Ｓ１）を有する被係止対象物を引っ掛けるための係止具において、壁等に取り付けられたときに、予め設定された所定の仰角を有して当該壁等側から突出する第１フック部（４）と、壁等に取り付けられたときに、第１フック部（４）より鉛直方向下方側に位置する第２フック部（５）であって、予め設定された所定の仰角を有して当該壁等側から突出する第２フック部（５）と、第１フック部（４）及び第２フック部（５）の根元側に設けられ、第１フック部（４）及び第２フック部（５）に作用するモーメントを受ける基台部（６）とを備え、壁等に取り付けられた場合において、第２フック部（５）の鉛直方向についての曲げ剛性は、第１フック部（４）の鉛直方向についての曲げ剛性より小さく、壁等に取り付けられた場合において、第２フック部（５）の上面は、当該第２フック部（５）の先端に近づくほど、仰角が小さくなるように湾曲しており、さらに、第２フック部（５）の先端は、第１フック部（４）の先端より基台部（６）から離間している。
【０００７】
本願考案では、第２フック部（５）の先端は、第１フック部（４）の先端より基台部（６）から離間しているので、作業者が穴部（Ｓ１）に係止具を挿入する際においては、穴部（Ｓ１）の上側内周面は、先ず、第２フック部（５）の上面に接触する。
【０００８】
穴部（Ｓ１）の上側内周面が第２フック部（５）の上面に接触した状態で、作業者が穴部（Ｓ１）を第１フック部（４）側に押すと、第２フック部（５）が第１フック部（４）側に撓み変位する。
【０００９】
このとき、本願考案では、第２フック部（５）の上面が先端に近づくほど、仰角が小さくなるように湾曲しているので、第２フック部（５）が撓んで第１フック部（４）に近づくと、穴部（Ｓ１）の上側内周面が第２フック部（５）の上面から第１フック部（４）の上面に誘導される。このため、被係止対象物を容易に係止具に装着することができる。
【００１０】
なお、「壁、柱、鴨居又は梁」は、本願考案に係る係止具が取り付けられる部位の例示である。つまり、本願考案に係る係止具が取り付けられる部位は、「壁、柱、鴨居及び梁」のうちいずれかのみに限定されるものではない。
【００１１】
因みに、上記各括弧内の符号は、後述する実施形態に記載の具体的構成等との対応関係を示す一例であり、本考案は上記括弧内の符号に示された具体的構成等に限定されるものではない。
【図面の簡単な説明】
【００１２】
【図１】Ａは本考案の実施形態に係る係止具１の使用例を示す図である。Ｂは本考案の実施形態に係る係止具１の斜視図である。
【図２】Ａは本考案の実施形態に係る係止具１の正面図である。Ｂは図２ＡのＣ矢視図である。
【図３】Ａは嵌合部３Ａの正面図である。Ｂは図３Ａの上面図である。Ｃは図３Ａの左側面図である。
【図４】本体部２の正面図である。
【図５】Ａは図４のＡ−Ａ矢視図である。Ｂは図４のＢ矢視図である。
【図６】本考案の実施形態に係る係止具１の使用方法を示す説明図である。
【図７】本考案の実施形態に係る係止具１の使用方法を示す説明図である。
【図８】本考案の実施形態に係る係止具１の使用方法を示す説明図である。
【考案を実施するための形態】
【００１３】
以下に説明する「考案の実施形態」は実施形態の一例を示すものである。つまり、実用新案登録請求の範囲に記載された考案特定事項等は、下記の実施形態に示された具体的構成や構造等に限定されるものではない。
【００１４】
以下、本考案の実施形態を図面と共に説明する。なお、各図に付された方向を示す矢印等は、各図相互の関係を理解し易くするために記載したものである。本考案は、各図に付された方向に限定されるものではない。
【００１５】
少なくとも符号を付して説明した部材又は部位は、「複数」や「２つ以上」等の断りをした場合を除き、少なくとも１つ設けられている。
（第１実施形態）
本実施形態は、図１Ａに示すように、シートやネット等を被係止対象物（以下、「シート」と略す。）を引っ掛ける（「係止する」ともいう。）ための係止具１（図１Ｂ参照）に本考案を適用したものである。シートＳには、貫通穴を構成するハトメＳ１が設けられている。
【００１６】
１．係止具の構成
本実施形態に係る係止具１は、図２Ａに示すように、本体部２及び装着具３等を有して構成される。本体部２は、シートＳを係止するための部材である。本実施形態に係る本体部２は、装着具３に対して着脱自在に装着されている。なお、本体部２の詳細は後述する。
【００１７】
装着具３は、壁、柱又は梁等に本体部２を装着するための部材である。具体的には、装着具３は、図２Ｂに示すように、本体部２が装着される嵌合部３Ａ、及び嵌合部３Ａ（係止具１）を梁等に固定するための固定部３Ｂ等を有して構成される。
【００１８】
嵌合部３Ａは、図３Ａに示すように、本体部２が着脱自在に嵌合可能な一対の環状部３Ｃを有している。一対の環状部３Ｃは、図３Ｂに示すように、所定の隙間３Ｄを介して離間している。そして、当該隙間３Ｄに、本体部２の基台部６（図６参照）が嵌合される。
【００１９】
一対の環状部３Ｃは基部３Ｅに一体化されている。基部３Ｅは、図２Ａに示すように、固定部３Ｂが組み付け固定される部位である。本実施形態では、固定部３Ｂは、ねじ３Ｆ（図２Ｂ参照）により基部３Ｅに固定される。
【００２０】
基部３Ｅには、ねじ３Ｆがねじ込まれるねじ穴３Ｇ（図３Ｃ参照）が設けられている。なお、ねじ３Ｆはタッピングねじである。基部３Ｅ及び一対の環状部３Ｃは、樹脂にて一体成形されて一体化されている。
【００２１】
固定部３Ｂは、断面形状がコ字状（Ｃ字状）に形成された金属製の部材であって（図２Ａ参照）、環状部３Ｃの中心軸線Ｌ３と平行な方向に延びている（図２Ｂ参照）。固定部３Ｂには、一対の押圧用ねじ３Ｈが設けられている。
【００２２】
そして、本実施形態では、一対の押圧用ねじ３Ｈ及び固定部３Ｂ（コ字状の部材）により、梁や鴨居等を挟み込むクランプ機構が構成される。つまり、本実施形態に係る装着具３は、梁や鴨居等に挟持された状態で梁等に固定可能である。
【００２３】
２．本体部の構造
図４は、係止具１が梁等に取り付けられた状態（以下、取付状態という。）における本体部２を示している。図４の一点鎖線Ｌｏは水平線を示している。本体部２は、図４に示すように、第１フック部４、第２フック部５及び基台部６等を有して構成される。
【００２４】
第１フック部４は、取付状態において、取付対象である鴨居等側から突出する梁状の部材である。当該第１フック部４は、取付状態において、予め設定された所定の仰角となるように構成されている。なお、一点鎖線Ｌ１と水平線Ｌｏとのなす角θ１は、約４５度である。
【００２５】
第２フック部５は、取付状態において、第１フック部４より鉛直方向下方側に位置するとともに、取付対象側から突出する梁状の部材である。当該第２フック部５は、取付状態において、予め設定された所定の仰角となるように構成されている。
【００２６】
基台部６は、第１フック部４及び第２フック部５の根元側に設けられ、第１フック部４及び第２フック部５に作用するモーメントを受ける。つまり、基台部６は、第１フック部４及び第２フック部５の根元側に一体化されている。本実施形態では、第１フック部４、第２フック部５及び基台部６は樹脂にて一体成形されて一体化されている。
【００２７】
第２フック部５の曲げ剛性は、第１フック部４の曲げ剛性より小さくなっている。曲げ剛性は、取付状態における鉛直方向についての曲げ剛性をいう。具体的には、第２フック部５の根元側部位には、当該根元側部位以外の部位に比べて曲げ剛性が小さい低剛性部５Ｃが設けられている。
【００２８】
本実施形態に係る低剛性部５Ｃは、その他の部位に比べて、少なくとも鉛直方向寸法が小さくなっている。第１フック部４の鉛直方向寸法は、いずれの部位においても低剛性部５Ｃの鉛直方向寸法より大きい。
【００２９】
このため、低剛性部５Ｃにおける鉛直方向の曲げ剛性が第１フック部４に比べて小さくなる。なお、本実施形態では、水平方向についての第１フック部４の曲げ剛性と水平方向についての第２フック部５の曲げ剛性とは略同一である。
【００３０】
低剛性部５Ｃとその他の部位との境界部には、段差状の段付き部５Ｄが設けられている。当該段付き部５Ｄは、図５Ｂに示すように、第２フック部５のうち、矩形状断面を有する部位から半円状断面を有する部位に変化する箇所に設けられている。つまり、矩形状断面と半円状断面との外形寸法の差が段付き部５Ｄとなる。
【００３１】
そして、第２フック部５のうち取付状態において上面となる部位には、図４に示すように、湾曲した曲面５Ａが設けられている。当該曲面５Ａは、第２フック部５の先端５Ｂに近づくほど、仰角θ２が小さくなるように湾曲している。具体的には、曲面５Ａの根元側での仰角は約４５度である。先端５Ｂに近づくほど、曲面５Ａの仰角が小さくなり、先端５Ｂにおける仰角は略０度である。
【００３２】
第２フック部５の先端５Ｂは、第１フック部４の先端４Ｂより基台部６から離間している。つまり、第２フック部５の突出方向寸法は、第１フック部４の突出寸法より長い。このため、取付状態においても、第２フック部５の先端５Ｂは、第１フック部４の先端４Ｂより水平方向において、基台部６より離隔した部位に位置する。
【００３３】
第１フック部４の先端４Ｂは、先端接線Ｌ２より基台部６側、又は先端接線Ｌ２上に位置する。なお、本実施形態では、第１フック部４の先端４Ｂは先端接線Ｌ２上に位置する。先端接線Ｌ２は、第２フック部５の上面側先端５Ｂにおける仮想の接線をいう。因みに、本実施形態に係る先端接線Ｌ２は、水平線Ｌｏと略平行である。
【００３４】
第１フック部４の先端側上面４Ａには、当該第１フック部４の先端４Ｂに近づくほど、仰角θ３が小さくなるように湾曲した湾曲部４Ｃが設けられている。湾曲部４Ｃとその他の部位との境界部には、段差状の段付き部４Ｄが設けられている。
【００３５】
当該段付き部４Ｄは、図５Ａに示すように、第１フック部４のうち、矩形状断面を有する部位から半円状断面を有する部位に変化する箇所に設けられている。つまり、矩形状断面と半円状断面との外形寸法の差が段付き部４Ｄとなる。
【００３６】
３．本実施形態に係る係止具の特徴
本実施形態に係る係止具１では、第２フック部５の先端は、図４に示すように、第１フック部４の先端より基台部６から離間している。このため、作業者がハトメ等の穴部Ｓ１に係止具１を挿入する際においては、穴部Ｓ１の上側内周面は、先ず、第２フック部５の上面、つまり曲面５Ａに接触する（図６参照）。
【００３７】
穴部Ｓ１の上側内周面が第２フック部５の曲面５Ａに接触した状態で、作業者が穴部Ｓ１を第１フック部４側に押すと、図７に示すように、第２フック部５が第１フック部４側に撓み変位する。
【００３８】
このとき、本願考案では、第２フック部５の上面が先端に近づくほど、仰角が小さくなるように湾曲しているので、第２フック部５が撓んで第１フック部４に近づくと、穴部Ｓ１の上側内周面が第２フック部５の上面から第１フック部４の上面に誘導される。このため、シートＳ等被係止対象物を容易に係止具１に装着することができる。
【００３９】
本実施形態では、第２フック部５の上面側先端における仮想の接線を先端接線Ｌ２としたとき、第１フック部４の先端は、先端接線Ｌ２より基台部６側、又は先端接線Ｌ２上に位置している。
【００４０】
これにより、図７に示すように、第２フック部５が第１フック部４側に変位したときに、第２フック部５の上面と第１フック部４の上面とが繋がるようになる。したがって、穴部Ｓ１の上側内周面を第２フック部５の上面から第１フック部４の上面に確実に誘導でき得る。
【００４１】
本実施形態では、第１フック部４の先端側上面には、当該第１フック部４の先端に近づくほど、仰角が小さくなるように湾曲した湾曲部４Ｃが設けられている。
これにより、図７に示すように、第２フック部５が第１フック部４側に変位したときに、第２フック部５の上面と第１フック部４の上面との境界に大きな段差が生じることを抑制できる。延いては、穴部Ｓ１の上側内周面を第２フック部５の上面から第１フック部４の上面に確実に誘導でき得る。
【００４２】
本実施形態では、低剛性部５Ｃとその他の部位との境界部には、段差状の段付き部５Ｄが設けられている。さらに、湾曲部４Ｃとその他の部位との境界部には、段差状の段付き部４Ｄが設けられている。
【００４３】
これにより、図８に示すように、段付き部５Ｄ又は段付き部４Ｄにて穴部Ｓ１の上側又は下側を引っ掛けるように係止でき得る。したがって、シートＳ等の被係止対象物を容易に係止具１に装着することができる。
【００４４】
（その他の実施形態）
上述の実施形態では、第１フック部４の先端が先端接線Ｌ２より基台部６側、又は先端接線Ｌ２上に位置していたが、本考案はこれに限定されるものではなく、例えば、第１フック部４の先端が先端接線Ｌ２を挟んで基台部６と反対側に位置していてもよい。
【００４５】
上述の実施形態では、第１フック部４の先端側上面に湾曲部４Ｃが設けられていたが、本考案はこれに限定されるものではなく、例えば湾曲部４Ｃを廃止してもよい。
また、本考案は、実用新案登録請求の範囲に記載された考案の趣旨に合致するものであればよく、上述の実施形態に限定されるものではない。
【符号の説明】
【００４６】
１… 係止具  ２… 本体部  ３… 装着具  ３Ａ… 嵌合部
３Ｃ… 環状部  ３Ｄ… 隙間  ３Ｅ… 基部  ３Ｂ… 固定部
３Ｇ… 穴  ４… 第１フック部  ４Ｃ… 湾曲部  ４Ｄ… 段付き部
５… 第２フック部  ５Ｃ… 低剛性部  ５Ｄ… 段付き部  ６… 基台部
【図１】
0003201748.tif 000003
【図２】
0003201748.tif 000004
【図３】
0003201748.tif 000005
【図４】
0003201748.tif 000006
【図５】
0003201748.tif 000007
【図６】
0003201748.tif 000008
【図７】
0003201748.tif 000009
【図８】
0003201748.tif 000010